【手続補正書】
【提出日】平成23年12月28日(2011.12.28)
【手続補正１】
【補正対象書類名】特許請求の範囲
【補正対象項目名】全文
【補正方法】変更
【補正の内容】
【特許請求の範囲】
【請求項１】
有底四角筒状の身と、前記身を外側から覆う有蓋四角筒状の蓋とを備え、
前記身は、身正面壁、身背面壁、左右一対の身側面壁、及び身底面壁で構成され、
前記蓋は、蓋正面壁、蓋背面壁、左右一対の蓋側面壁、及び蓋頂面壁で構成され、
前記身の正面側の高さは、前記身の背面側の高さよりも小さく、
前記蓋背面壁の底縁は、前記身背面壁の底縁よりも高く配置され、
前記蓋背面壁の底縁を中心にして前記身正面壁上及び前記身側面壁上を前記蓋正面壁が回転することによって前記蓋が前記身から取り外される展示用収容箱であって、
前記身正面壁の外面と前記蓋正面壁の内面とが互いに接着され、
前記身背面壁の外面と前記蓋背面壁の内面とが互いに接着され、
前記身正面壁及び前記蓋正面壁は、
互いに対向する領域にミシン目線で囲まれた正面接着部を有し、
前記身背面壁及び前記蓋背面壁の一方は、
互いに対向する領域にミシン目線で囲まれた背面接着部を有する
ことを特徴とする展示用収容箱。
【請求項２】
前記背面接着部における前記蓋頂面壁側の端部には、当該背面接着部の厚み以上の開口幅を高さ方向に有する孔が形成されている
ことを特徴とする請求項１に記載の展示用収容箱。
【請求項３】
前記蓋背面壁における高さ方向の幅が、前記身正面壁における高さ方向の幅以下であることを特徴とする請求項１または２に記載の展示用収容箱。
【請求項４】
前記身正面壁における高さ方向の幅と前記蓋背面壁における高さ方向の幅との合計が、前記身背面壁の高さ方向における幅以下である
ことを特徴とする請求項１〜３のいずれか一項に記載の展示用収容箱。
【請求項５】
前記背面接着部を、前記身背面壁に有する
ことを特徴とする請求項１〜４のいずれか一項に記載の展示用収容箱。
【手続補正２】
【補正対象書類名】明細書
【補正対象項目名】００１９
【補正方法】削除
【補正の内容】
【手続補正３】
【補正対象書類名】明細書
【補正対象項目名】００２０
【補正方法】削除
【補正の内容】
【手続補正４】
【補正対象書類名】明細書
【補正対象項目名】００２１
【補正方法】変更
【補正の内容】
【００２１】
【図１】本発明にかかる展示用収容箱を具体化した一実施形態における展示用収容箱の斜視構造を示す斜視図。
【図２】本実施形態において、蓋が取り外された状態の展示用収容箱の斜視構造を示す斜視図。
【図３】本実施形態における身の展開構造を示す展開図。
【図４】本実施形態における蓋の展開構造を示す展開図。
【図５】本実施形態における展示用収容箱の断面構造を示す断面図。
【図６】本実施形態において、（ａ）（ｂ）身背面壁における接着領域付近を拡大した展示用収容箱の拡大断面図。
【図７】展示用収容箱の参考例を具体化した展示用収容箱の斜視構造を示す斜視図。
【図８】参考例における蓋の展開構造を示す展開図
【図９】従来例における展示用収容箱の斜視構造を示す斜視図。
【図１０】従来例における展示用収容箱の身及び蓋の展開構造を示す展開図。
【手続補正５】
【補正対象書類名】明細書
【補正対象項目名】００２２
【補正方法】変更
【補正の内容】
【００２２】
（実施形態）
以下、本発明にかかる展示用収容箱を具体化した一実施形態について、図１〜図６を参照して説明する。まず展示用収容箱の構成について図１及び図２を参照して説明する。図１は、本実施の形態における展示用収容箱の斜視構造を示す斜視図であって、図２は、蓋体が取り外された状態の展示用収容箱の斜視構造を示す斜視図である。
【手続補正６】
【補正対象書類名】明細書
【補正対象項目名】００５０
【補正方法】変更
【補正の内容】
【００５０】
以上説明したように、上記実施形態の展示用収容箱１０によれば、以下に列挙する効果を得ることができる。
（１）上記実施形態の展示用収容箱１０は、正面接着部１４Ｆと正面開封部１６Ｆ、及び、背面接着部１４Ｂと蓋背面壁１２Ｂで接着されている。また該展示用収容箱１０は、身正面壁１１Ｆの頂縁１３Ｆが蓋背面壁１２Ｂの底縁１７Ｂよりも身底面壁１１ＢＴ側に位置しているとともに、左右一対の身側面壁１１Ｓの各頂縁１３Ｓが位置Ｃの軌跡ＬＣよりも身底面壁１１ＢＴ側に位置している。こうした構成によれば、蓋体１２の回転操作によって背面接着部１４Ｂの切り取り及び蓋体１２の取り外しが同時に行うことが可能であ
ることから、上述した２つの工程だけで展示用収容箱１０の開封作業を行うことが可能である。それゆえに展示用収容箱１０の開封作業の効率を向上させることができる。
【手続補正７】
【補正対象書類名】明細書
【補正対象項目名】００５１
【補正方法】変更
【補正の内容】
【００５１】
（２）背面接着部１４Ｂに逃げ孔１５を設けた。こうした構成によれば、蓋体１２の回転操作にともなう背面接着部１４Ｂの切り取りを円滑に行うことが可能である。それゆえに、展示用収容箱１０の開封作業の効率をさらに向上させることが可能である。
【手続補正８】
【補正対象書類名】明細書
【補正対象項目名】００５２
【補正方法】変更
【補正の内容】
【００５２】
（３）上記実施形態の展示用収容箱１０は、蓋背面壁１２Ｂの高さ方向の幅Ｈｂ２は、身正面壁１１Ｆの高さ方向の幅Ｈａ１よりも小さく、かつ幅Ｈｂ２と幅Ｈａ１との合計が収容体１１の身背面壁１１Ｂにおける幅Ｈｂ１を超えないように設定した。
【手続補正９】
【補正対象書類名】明細書
【補正対象項目名】００５５
【補正方法】変更
【補正の内容】
【００５５】
（５）上記実施形態の展示用収容箱１０は、収容体１１の身背面壁１１Ｂにおける高さ方向の幅Ｈｂ１と蓋体１２の蓋正面壁１２Ｆにおける高さ方向の幅Ｈａ２とを略等しくした。こうした構成であれば、展示用収容箱１０の高さ方向における機械的な強度を、高さ方向において構造的に連続した直方体状の箱体と同程度にすることが可能である。
【手続補正１０】
【補正対象書類名】明細書
【補正対象項目名】００５６
【補正方法】変更
【補正の内容】
【００５６】
（６）上記実施形態では、背面接着部１４Ｂを収容体１１の身背面壁１１Ｂに設けた。こうした構成によれば、開封前の展示用収容箱１０においては、背面接着部１４Ｂが蓋背面壁１２Ｂによって覆い隠される。これにより、開封前の展示用収容箱１０における背面側の美観性を向上させることが可能である。また、開封後に不用となる背面接着部１４Ｂが、これもまた不用となる蓋体１２に接着された状態で切り取られるため、開封後の展示用収容箱１０の背面側における美観性が損なわれることもない。
（参考例）
次に、展示用収容箱の参考例について図７及び図８を参照して説明する。
【手続補正１１】
【補正対象書類名】明細書
【補正対象項目名】００５７
【補正方法】変更
【補正の内容】
【００５７】
ここで、商品等を展示する展示用収容箱は、例えば、複数の展示用収容箱が箱詰めされた状態で輸送されることが少なくない。そのため、展示用収容箱を箱詰めする際や展示用収容箱をその箱から取り出す際には、複数の展示用収容箱を一度に取り扱うことができる形態が望ましい。参考例の展示用収容箱は、こうした要望に応えるべくなされたものである。なお、参考例の展示用収容箱２０は、上記実施形態における展示用収容箱１０と主要な構成が同じである。そのため、参考例においては、上記実施形態と異なる部分について詳細に説明し、上記実施形態と同様の部分については同様の符号を付すことによりその詳細な説明は省略する。
【手続補正１２】
【補正対象書類名】明細書
【補正対象項目名】００６７
【補正方法】変更
【補正の内容】
【００６７】
また、参考例の展示用収容箱２０は、蓋体１２の幅Ｈｂ２が収容体１１の幅Ｈａ１よりも大きく、具体的には幅Ｈａ１が９０．５ｍｍ、幅Ｈｂ１が１４２ｍｍ、幅Ｈａ２が１４３ｍｍ、幅Ｈｂ２が１２３ｍｍである。そして、蓋頂面壁１２Ｔに収容体１１の身背面壁１１Ｂの頂縁１３Ｂが当接するように収容体１１に蓋体１２が接着される。こうした構成のもとでは、蓋体１２の蓋背面壁１２Ｂの底縁１７Ｂが収容体１１の身正面壁１１Ｆの頂縁１３Ｆよりも身底面壁１１ＢＴ側に位置してしまう。しかしながら、こうした場合には、剛性の低い紙で展示用収容箱２０を作製することによって、蓋体１２の回転操作を操作しにくくはなるものの、蓋体１２の回転操作による蓋体１２の取り外しが可能である。
【手続補正１３】
【補正対象書類名】明細書
【補正対象項目名】００６８
【補正方法】変更
【補正の内容】
【００６８】
以上説明したように、上記参考例の展示用収容箱２０によれば、上記（１）（２）（５）（６）に記載した効果に加えて、以下に列挙する効果を得ることができる。
（７）参考例では、蓋正面壁１２Ｆに第１連結フラップ２１、蓋背面壁１２Ｂに第２連結フラップ２６を設けた。こうした構成によれば、展示用収容箱２０と、当該展示用収容箱２０の右側で隣接する展示用収容箱２０との蓋体１２同士を第１連結フラップ２１で連結することが可能である。また、展示用収容箱２０と、当該展示用収容箱２０の左側で隣接する展示用収容箱２０との蓋体１２同士を第２連結フラップ２６で連結することが可能である。すなわち、複数の展示用収容箱２０を連結することが可能である。
【手続補正１４】
【補正対象書類名】明細書
【補正対象項目名】００７１
【補正方法】変更
【補正の内容】
【００７１】
（１０）参考例では、蓋体１２を形成するための帯状のブランクスのうち、該ブランクスの長手方向の一部が、蓋正面壁１２Ｆとして利用される。そして、蓋正面壁１２Ｆの側縁に連結される部分が、該ブランクスの短手方向において、第１連結フラップ２１と蓋側面壁１２ＳＲとに二分される。そのため、蓋正面壁１２Ｆの側縁に連結される部分が、第１連結フラップ２１として有効的に利用されることとなる。そして、蓋正面壁１２Ｆの側縁に連結される部分の全てが蓋側面壁１２ＳＲとして利用される場合と比較して、ブランクスの紙量が増えることもないし、ブランクスの取扱性、蓋体１２の組立性や生産性が低下することも極力抑えることができる。
【手続補正１５】
【補正対象書類名】明細書
【補正対象項目名】００７４
【補正方法】変更
【補正の内容】
【００７４】
（１２）参考例では、蓋体１２を形成するための帯状のブランクスのうち、該ブランクスの長手方向の一部が、蓋背面壁１２Ｂとして利用される。そして、蓋背面壁１２Ｂの側縁に連結される部分が、該ブランクスの短手方向において、接着フラップ２５と第２連結フラップ２６とに二分される。そのため、蓋背面壁１２Ｂの側縁に連結される部分が、第２連結フラップ２６として有効的に利用されることとなる。そして、蓋背面壁１２Ｂの側縁に連結される部分の全てが接着フラップ２５として利用される場合と比較して、ブランクスの紙量が増えることもないし、ブランクスの取扱性、蓋体１２の組立性や生産性が低下することを極力抑えることもできる。
【手続補正１６】
【補正対象書類名】明細書
【補正対象項目名】００７５
【補正方法】変更
【補正の内容】
【００７５】
（１３）参考例では、第２連結フラップ２６は、接着フラップ２５から切れ目線２８で切り離されることによって形成され、その接着フラップ２５が蓋側面壁１２ＳＬの内面に接着されることによって蓋体１２が環状に形成される。そのため、第２連結フラップ２６を不用とする要求に対しては、接着フラップ２５共々、第２連結フラップ２６を蓋側面壁１２ＳＬの内側に配置することもできる。
【手続補正１７】
【補正対象書類名】明細書
【補正対象項目名】００７７
【補正方法】変更
【補正の内容】
【００７７】
・上記実施形態では、収容体１１の身正面壁１１Ｆにおける高さ方向の幅Ｈａ１と蓋体１２の蓋背面壁１２Ｂにおける高さ方向の幅Ｈｂ２との合計が、収容体１１の身背面壁１１Ｂの高さ方向における幅Ｈｂ１よりも小さくなるように設定した。これを変更して、幅Ｈａ１と幅Ｈｂ２との合計が幅Ｈｂ１と略等しくてもよい。こうした構成であっても、上記（１）〜（５）と同様の効果を得ることが可能であるとともに、収容体ブランクス及び蓋体用ブランクスの成型に関し、歩留まりの向上が見込まれる。また、幅Ｈａ１と幅Ｈｂ２との合計が幅Ｈｂ１より大きくてもよい。こうした場合であっても（１）〜（３）と同様の効果を得ることが可能である。しかしながら、収容体１１の身正面壁１１Ｆの頂縁１３Ｆを蓋体１２の蓋背面壁１２Ｂの底縁１７Ｂよりも身底面壁１１ＢＴ側に位置させるうえでは、収容体１１の身背面壁１１Ｂを蓋頂面壁１２Ｔに当接させた状態で収容体１１と蓋体１２とを接着することが困難になる。そのため、展示用収容箱１０の高さ方向における機械的な強度の低下が懸念される。
【手続補正１８】
【補正対象書類名】明細書
【補正対象項目名】００７８
【補正方法】変更
【補正の内容】
【００７８】
・上記実施形態では、蓋背面壁１２Ｂにおける高さ方向の幅Ｈｂ２は、身正面壁１１Ｆ
の高さ方向の幅Ｈａ１よりも小さくした。これを変更して、幅Ｈｂ２と幅Ｈａ１とを略等しくしてもよい。こうした構成であっても、上記（１）〜（３）と同様の効果を得ることが可能であるとともに、収容体ブランクス及び蓋体用ブランクスの成型に関し、歩留まりの向上が見込まれる。
【手続補正１９】
【補正対象書類名】明細書
【補正対象項目名】００７９
【補正方法】変更
【補正の内容】
【００７９】
・また、参考例のように、蓋背面壁１２Ｂにおける高さ方向の幅Ｈｂ２を、身正面壁１１Ｆの高さ方向の幅Ｈａ１より大きくしてもよい。こうした構成であっても上記（１）（２）と同様の効果を得ることが可能である。しかしながらこの場合も、収容体１１の身正面壁１１Ｆの頂縁１３Ｆを蓋体１２の蓋背面壁１２Ｂの底縁１７Ｂよりも身底面壁１１ＢＴ側に位置させるうえでは、収容体１１の身背面壁１１Ｂを蓋頂面壁１２Ｔに当接させた状態で収容体１１と蓋体１２とを接着することが困難になる場合ある。そのため、展示用収容箱１０の高さ方向における機械的な強度の低下が懸念される。